【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
送信依頼された画像を宛先データで指定される宛先に送信する送信依頼受付機能を有する機器と通信可能な画像処理装置であって、
前記機器を指定する送信依頼先データと宛先を示す前記宛先データとを関連付けて登録するアドレス登録手段と、
前記アドレス登録手段により登録された前記宛先データと前記送信依頼先データとを指定するアドレス指定手段と、
送信すべき画像と前記アドレス指定手段で指定した前記宛先データとを、前記アドレス指定手段で指定した前記送信依頼先データにより指定される前記機器に送信する送信手段とを備えたことを特徴とする画像処理装置。
【請求項２】
前記アドレス登録手段により登録された前記送信依頼先データが、前記機器を示す汎用の識別子である汎用識別子であるか否かを判定する識別子判定手段と、
前記識別子判定手段によって前記汎用識別子であると判定された場合に、該汎用識別子を、前記機器を示す唯一の識別子である絶対識別子に変換する識別子変換手段と、
前記アドレス登録手段により登録された前記宛先データと、該宛先データに関連付けられた前記送信依頼先データから変換された前記絶対識別子とを組み合わせた出力用データを外部へ出力するアドレス出力手段とを有することを特徴とする請求項１に記載の画像処理装置。
【請求項３】
前記宛先データと前記送信依頼先データとを組み合わせた入力用データにおける前記送信依頼先データが、前記機器を示す唯一の識別子である絶対識別子であるかどうかを判定する識別子判定手段と、
前記識別子判定手段により前記絶対識別子であると判定された場合に、該絶対識別子を、前記機器を示す汎用の識別子である汎用識別子に置換する手段とを有し、
前記アドレス登録手段は、前記置換された汎用識別子と前記宛先データとを関連付けて登録することを特徴とする請求項１に記載の画像処理装置。
【請求項４】
前記送信依頼先データで指定される機器に依頼が不可能なことを判定する手段を有し、
前記依頼が不可能と判定された場合に、前記送信手段は送信依頼を中止することを特徴とする請求項１乃至３のいずれか１項に記載の画像処理装置。
【請求項５】
前記送信依頼先データで指定される機器に依頼が不可能なことを判定する手段を有し、
前記依頼が不可能と判定された場合に、前記送信手段は、送信すべき画像と前記アドレス指定手段で指定した前記宛先データとを、デフォルトの送信依頼先となっている機器に送信することを特徴とする請求項１乃至３のいずれか１項に記載の画像処理装置。
【請求項６】
前記送信依頼先データはＩＰアドレスで、前記宛先データは電話番号であることを特徴とする請求項１乃至５のいずれか１項に記載の画像処理装置。
【請求項７】
送信依頼された画像を宛先データで指定される宛先に送信する送信依頼受付機能を有する機器と通信可能な画像処理装置であって、
宛先を示す前記宛先データと前記機器を指定する送信依頼先データとを関連付けて登録するアドレス登録手段と、
他の画像処理装置から参照要求を受け付ける手段と、
前記参照要求を受けて、前記アドレス登録手段で登録された前記宛先データと前記送信依頼先データとを、前記参照要求を送った前記他の画像処理装置に送信する送信手段とを備えたことを特徴とする画像処理装置。
【請求項８】
送信依頼された画像を宛先データで指定される宛先に送信する送信依頼受付機能を有する機器と、サーバ装置と、前記機器及び前記サーバ装置と通信可能な画像処理装置とを備えた画像処理システムであって、
前記サーバ装置は、
宛先を示す前記宛先データと前記機器を指定する送信依頼先データとを関連付けて登録するアドレス登録手段と、
前記画像処理装置から参照要求を受け付ける手段と、
前記参照要求を受けて、前記アドレス登録手段で登録された前記宛先データと前記送信依頼先データとを、前記参照要求を送った前記画像処理装置に送信する手段とを有し、
前記画像処理装置は、
前記宛先データと前記送信依頼先データの参照要求を前記サーバ装置に送信する手段と、
前記サーバ装置から前記宛先データと前記送信依頼先データとを受信する受信手段と、
送信すべき画像と前記受信手段で受信した前記宛先データとを、前記受信手段で受信した前記送信依頼先データにより指定される前記機器に送信する手段とを備えたことを特徴とする画像処理システム。
【請求項９】
前記サーバ装置は、
前記送信依頼先データが、前記送信依頼受け機能を有する複数の機器のうち送信依頼を受け付け可能な機器を動的に選択することを示す動的選択識別子であるかを判定する手段と、
前記送信依頼先データが前記動的選択識別子である場合に、前記機器が送信依頼を受け付け可能な状態であるか否かを判定する手段と、
送信依頼を受け付け可能な状態であると判定された機器を指定する送信依頼先データと前記宛先データとを前記参照要求を送った前記画像処理装置に送信する手段とを備えたことを特徴とする請求項８に記載の画像処理システム。
【請求項１０】
送信依頼された画像を宛先データで指定される宛先に送信する送信依頼受付機能を有する機器及びサーバ装置と通信可能な画像処理装置であって、
宛先を示す前記宛先データと前記機器を指定する送信依頼先データの参照要求を前記サーバ装置に送信する手段と、
前記参照要求に基づいて前記サーバ装置から送信される前記宛先データと前記送信依頼先データとを受信する受信手段と、
送信すべき画像と前記受信手段で受信した前記宛先データとを、前記受信手段で受信した前記送信依頼先データにより指定される前記機器に送信する手段とを備えたことを特徴とする画像処理装置。
【請求項１１】
送信依頼された画像を宛先データで指定される宛先に送信する送信依頼受付機能を有する機器と通信可能な画像処理装置の画像処理方法であって、
前記機器を指定する送信依頼先データと宛先を示す前記宛先データとを関連付けてアドレス帳に登録するアドレス登録工程と、
前記アドレス帳に登録された前記宛先データと前記送信依頼先データとを指定するアドレス指定工程と、
送信すべき画像と前記アドレス指定工程で指定した前記宛先データとを、前記アドレス指定工程で指定した前記送信依頼先データにより指定される前記機器に送信する工程とを有することを特徴とする画像処理装置の画像処理方法。
【請求項１２】
送信依頼された画像を宛先データで指定される宛先に送信する送信依頼受付機能を有する機器と通信可能な画像処理装置の画像処理方法であって、
宛先を示す前記宛先データと前記機器を指定する送信依頼先データとを関連付けてアドレス帳に登録するアドレス登録工程と、
他の画像処理装置から前記アドレス帳の参照要求を受け付ける工程と、
前記参照要求を受けて、前記アドレス帳に登録された前記宛先データと前記送信依頼先データとを、前記参照要求を送った前記他の画像処理装置に送信する工程とを有することを特徴とする画像処理装置の画像処理方法。
【請求項１３】
送信依頼された画像を宛先データで指定される宛先に送信する送信依頼受付機能を有する機器と、アドレス帳を有するサーバ装置と、前記機器及び前記サーバ装置と通信可能な画像処理装置とを備えた画像処理システムの画像処理方法であって、
前記サーバ装置は、
宛先を示す前記宛先データと前記機器を指定する送信依頼先データとを関連付けて前記アドレス帳に登録するアドレス登録工程と、
前記画像処理装置から前記アドレス帳の参照要求を受け付ける工程と、
前記参照要求を受けて、前記アドレス帳に登録された前記宛先データと前記送信依頼先データとを、前記参照要求を送った前記画像処理装置に送信する工程とを実行し、
前記画像処理装置は、
前記宛先データと前記アドレス帳の参照要求を前記サーバ装置に送信する工程と、
前記サーバ装置から前記宛先データと前記送信依頼先データとを受信する受信工程と、
送信すべき画像と前記受信工程で受信した前記宛先データとを、前記受信工程で受信した前記送信依頼先データにより指定される前記機器に送信する工程とを実行することを特徴とする画像処理システムの画像処理方法。
【請求項１４】
前記サーバ装置は、
前記送信依頼先データが、前記送信依頼受け機能を有する複数の機器のうち送信依頼を受け付け可能な機器を動的に選択することを示す動的選択識別子であるかを判定する工程と、
前記送信依頼先データが前記動的選択識別子である場合に、前記機器が送信依頼を受け付け可能な状態であるか否かを判定する工程と、
送信依頼を受け付け可能な状態であると判定された機器を指定する送信依頼先データと前記宛先データとを、前記参照要求を送った前記画像処理装置に送信する工程とを実行することを特徴とする請求項１３に記載の画像処理システムの画像処理方法。
【請求項１５】
送信依頼された画像を宛先データで指定される宛先に送信する送信依頼受付機能を有する機器及びサーバ装置と通信可能な画像処理装置の画像処理方法であって、
宛先を示す前記宛先データと前記機器を指定する送信依頼先データの参照要求を前記サーバ装置に送信する工程と、
前記参照要求に基づいて前記サーバ装置から送信される前記宛先データと前記送信依頼先データとを受信する受信工程と、
送信すべき画像と前記受信工程で受信した前記宛先データとを、前記受信工程で受信した前記送信依頼先データにより指定される前記機器に送信する工程とを有することを特徴とする画像処理装置の画像処理方法。
【請求項１６】
送信依頼された画像を宛先データで指定される宛先に送信する送信依頼受付機能を有する機器と通信可能な画像処理装置の画像処理方法を前記画像処理装置のコンピュータに実行させるプログラムであって、
前記画像処理方法は、
前記機器を指定する送信依頼先データと宛先を示す前記宛先データとを関連付けて登録するアドレス登録工程と、
前記アドレス登録工程により登録された前記宛先データと前記送信依頼先データとを指定するアドレス指定工程と、
送信すべき画像と前記アドレス指定工程で指定した前記宛先データとを、前記アドレス指定工程で指定した前記送信依頼先データにより指定される前記機器に送信する工程とを有することを特徴とするプログラム。
【請求項１７】
送信依頼された画像を宛先データで指定される宛先に送信する送信依頼受付機能を有する機器と通信可能な画像処理装置の画像処理方法を前記画像処理装置のコンピュータに実行させるプログラムであって、
前記画像処理方法は、
宛先を示す前記宛先データと前記機器を指定する送信依頼先データとを関連付けて登録するアドレス登録工程と、
他の画像処理装置から参照要求を受け付ける工程と、
前記参照要求を受けて、前記アドレス登録工程で登録された前記宛先データと前記送信依頼先データとを、前記参照要求を送った前記他の画像処理装置に送信する工程とを有することを特徴とするプログラム。
【請求項１８】
送信依頼された画像を宛先データで指定される宛先に送信する送信依頼受付機能を有する機器及びサーバ装置と通信可能な画像処理装置の画像処理方法を前記画像処理装置のコンピュータに実行させるプログラムであって、
前記画像処理方法は、
宛先を示す前記宛先データと前記機器を指定する送信依頼先データの参照要求を前記サーバ装置に送信する工程と、
前記参照要求に基づいて前記サーバ装置から送信される前記宛先データと前記送信依頼先データとを受信する受信工程と、
送信すべき画像と前記受信工程で受信した前記宛先データとを、前記受信工程で受信した前記送信依頼先データにより指定される前記機器に送信する工程とを有することを特徴とするプログラム。
【手続補正２】
【補正対象書類名】明細書
【補正対象項目名】００１４
【補正方法】変更
【補正の内容】
【００１４】
本発明は上記目的を達成するため、送信依頼された画像を宛先データで指定される宛先に送信する送信依頼受付機能を有する機器と通信可能な画像処理装置であって、前記機器を指定する送信依頼先データと宛先を示す前記宛先データとを関連付けて登録するアドレス登録手段と、前記アドレス登録手段により登録された前記宛先データと前記送信依頼先データとを指定するアドレス指定手段と、送信すべき画像と前記アドレス指定手段で指定した前記宛先データとを、前記アドレス指定手段で指定した前記送信依頼先データにより指定される前記機器に送信する送信手段とを備えたことを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】